(57)【要約】【課題】各指針の駆動はモータによって電気的に行い、クロノグラフ針の帰零を機械的機構によって行うクロノグラフ時計において、スリープモードが解除された場合に、クロノグラフ針が不適正な位置で駆動開始されないようにする。【解決手段】動作モード設定部７０は、太陽電池７４の発電量が所定量を超えることによってスリープモードが解除された後、単にスタート／ストップボタン１８を操作した場合にはクロノ計測動作を禁止し、スリープモードが解除された後にリセットボタン１９を操作した場合には、その後スタート／ストップボタン１８をスタート操作することによってクロノ計測動作を開始するように制御する。【選択図】  図１
2011247873.tif 000002
【特許請求の範囲】
【請求項１】
クロノ計測時に計測した時間を表示するクロノグラフ針と、
前記クロノグラフ針を回転駆動するモータと、
クロノ計測のスタート、ストップ及びリセットを操作する操作手段と、
前記操作手段によるスタート操作に応答してクロノ計測動作を開始して前記モータの駆動を行うと共に前記ストップ操作に応答してクロノ計測動作を停止して前記モータの駆動を停止する制御手段と、
前記操作手段のリセット操作に応答して機械的に前記クロノグラフ針を帰零して保持すると共にクロノ計測動作を電気的にリセットするリセット手段と、
電源としての２次電池と、
前記２次電池の電圧が所定電圧以下に低下したとき前記クロノグラフ計測動作を禁止するスリープモードに移行すると共に前記２次電池の電圧が所定電圧を超えたとき前記スリープモードを解除してクロノグラフ計測動作を行うことができるように前記制御手段の動作モードを切替えるモード切替手段とを備え、
前記モード切替手段は、前記スリープモードを解除した後に前記操作手段がスタート操作された場合でも、クロノ計測動作を開始しないように前記制御手段を制御することを特徴とするクロノグラフ時計。
【請求項２】
前記２次電池を充電する発電手段を有し、
前記モード切替手段は、前記２次電池の電圧が所定電圧を超えたとき前記スリープモードを解除する代わりに、前記発電手段による発電量が所定量を超えたとき前記スリープモードを解除することを特徴とする請求項１記載のクロノグラフ時計。
【請求項３】
前記モード切替手段は、前記スリープモードを解除後に前記操作手段によるリセット操作が行われた後にスタート操作が行われた場合には、クロノ計測動作を開始するように前記制御手段を制御することを特徴とする請求項１又は２記載のクロノグラフ時計。
【請求項４】
前記モード切替手段は、前記２次電池の電圧が前記所定電圧より一定電圧高いクロノ計測可能電圧以下の場合、前記スリープモードを解除後に前記操作手段によるリセット操作が行われその後にスタート操作が行われた場合でも、クロノ計測動作を開始するようには前記制御手段を制御しないことを特徴とする請求項３記載のクロノグラフ時計。
【請求項５】
時刻を計時する時刻カウンタ手段と、クロノ計測時間を計時するクロノグラフカウンタ手段とを有し、
前記リセット手段は、前記操作手段のリセット操作に応答して機械的に前記クロノグラフ針を帰零して保持すると共に前記時刻カウンタ手段とクロノグラフカウンタ手段をリセットすることを特徴とする請求項１乃至４のいずれか一に記載のクロノグラフ時計。
【請求項６】
前記リセット手段は、前記操作手段のリセット操作に応答して機械的に前記クロノグラフ針を帰零して保持すると共にシステムリセットを行うことを特徴とする請求項１乃至５のいずれか一に記載のクロノグラフ時計。
【発明の詳細な説明】
【技術分野】
【０００１】
本発明は、時刻の指示機能及び時間計測機能を有するクロノグラフ時計に関する。
【背景技術】
【０００２】
従来から、時刻情報の表示を基本機能として更に時間計測を行うクロノ計測機能を搭載したクロノグラフ時計において、各指針の駆動は駆動モータによって電気的に行い、クロノグラフ針の帰零をハートカムなどの機械的機構によって行うものが開発されている（特許文献１〜４参照）。
【０００３】
一方、太陽電池等の発電装置を有する電子時計が開発されている。前記電子時計において、２次電池の充電状態あるいは発電装置の発電状態に応じ、前記２次電池の電力が低下した場合に電子時計のシステム全体を低消費電力モード（スリープモード）に切り替えるようにした電子時計が開発されている。
例えば特許文献１に示すようなクロノグラフ時計に前記低消費電力モードの機能を付加した場合、時刻情報を計時するだけの電力を保持し、スリープモードに遷移するように構成することができる。その際、時刻表示用の時刻針を正時位置に帰零させ、発電装置の発電状態或いは２次電池の充電状態が、システムを稼動するのに十分な電力に復帰すればスリープモードを解除し、帰零した表示針を現在時刻に移動させるように構成することができる。
【０００４】
しかしながら、特許文献１のようなハートカムなどの機械的機構により帰零させるクロノグラフ時計においては、スリープモードに遷移する場合、電子制御により自動的に正時位置に帰零させることは出来ないため、スリープモードに遷移するタイミングで計測時間表示用のクロノグラフ針が停止してしまう。
この状態で２次電池の電圧が充電されて所定値以上になることによってスリープモードが解除され、使用者によりクロノ計測スタートスイッチが押下された場合、クロノグラフ針がスリープモードで停止した位置から計測がスタートしてしまう。本来、スリープモードに遷移した時点で計測が中断されているため、仮に停止した指針位置からスタートしても、不適正な位置からの駆動であり、その計測時間には何の意味も持たない。
【０００５】
また、計測時間が、最大計測時間となった場合にクロノ計測を終了する仕様の多機能時計においては、スタートした表示針の位置が、正時位置からではないため、最大計測時間での停止位置が正時位置とは異なる位置となり、使用者が、経過時間を直読できないばかりか、故障と思われるなどの欠点を有している。
【先行技術文献】
【特許文献】
【０００６】
【特許文献１】特許第４２４４６４３号公報
【特許文献２】特開昭６１−７３０８５号公報
【特許文献３】特開２００６−７８４２３号公報
【特許文献４】特開２００５−３４９３号公報
【発明の概要】
【発明が解決しようとする課題】
【０００７】
本発明は前記問題に鑑み成されたもので、各指針の駆動はモータによって電気的に行い、クロノグラフ針の帰零を機械的機構によって行うクロノグラフ時計において、スリープモードが解除された場合に、クロノグラフ針が不適正な位置で駆動開始されないようにすることを課題としている。
【課題を解決するための手段】
【０００８】
本発明によれば、クロノ計測時に計測した時間を表示するクロノグラフ針と、前記クロノグラフ針を回転駆動するモータと、クロノ計測のスタート、ストップ及びリセットを操作する操作手段と、前記操作手段によるスタート操作に応答して前記モータの駆動を開始すると共に前記ストップ操作に応答して前記モータの駆動を停止する制御手段と、前記操作手段のリセット操作に応答して機械的に前記クロノグラフ針を帰零して保持すると共にクロノ計測動作を電気的にリセットするリセット手段と、電源としての２次電池と、前記２次電池の電圧が所定電圧以下に低下したとき前記制御手段による前記モータの駆動を禁止するスリープモードに移行すると共に前記２次電池の電圧が所定電圧を超えたとき前記スリープモードを解除して前記制御手段が前記モータを駆動可能なように制御するモード切替手段とを備え、前記モード切替手段は、前記スリープモードを解除した後に前記操作手段がスタート操作された場合でも、前記モータの駆動を開始しないように前記制御手段を制御することを特徴とするクロノグラフ時計が提供される。
【発明の効果】
【０００９】
本発明に係るクロノグラフ時計によれば、各指針の駆動はモータによって電気的に行い、クロノグラフ針の帰零を機械的機構によって行うクロノグラフ時計において、スリープモードが解除された場合に、クロノグラフ針が不適正な位置で駆動開始されないようにすることが可能になる。
【図面の簡単な説明】
【００１０】
【図１】本発明の実施の形態に係るクロノグラフ時計のブロック図である。
【図２】本発明の実施の形態に係るクロノグラフ時計のクロノグラフ機構の機械的構成の概要を示す平面図である。
【図３】本発明の実施の形態に係るクロノグラフ時計の外観を示す平面図である。
【図４】本発明の実施の形態に係るフローチャートである。
【図５】本発明の他の実施の形態に係るフローチャートである。
【発明を実施するための形態】
【００１１】
本発明の実施の形態に係るクロノグラフ時計１は、図３に示すように、腕時計の形態で、現在時刻を表示する時刻針（中心軸線Ｃ１のまわりで回転される時針１１、分針１２及び秒針１３）を備えると共に、クロノグラフ針（中心軸線Ｃ２のまわりで回転されるクロノグラフ秒針１４及び中心軸線Ｃ３のまわりで回転されるクロノグラフ分針１５）を備える。
例えば、Ｄ１方向に１段引出した状態で巻真１６を回すことにより時刻針１１、１２を回転することができるように構成されている。クロノグラフ時計１の通常の時刻表示にかかわる動作は、通常の電子時計と同じであり、当業者に周知であるので、以下では、通常運針に係る構造や機能や動作については、記載を省略する。
【００１２】
クロノグラフ時計１では、クロノグラフ針１４、１５は、モータによって電気的に駆動制御され、機械的構成によって帰零制御される。
クロノグラフ時計１では、スタート／ストップボタン１８をＡ１方向に押すことにより、クロノグラフ時計１によるクロノグラフ動作の開始、停止が指示される。より詳しくは、クロノグラフ動作の開始／停止とは、クロノグラフ針１４、１５の運針の開始／停止を指し、後述のようにこれに関連して電気的な駆動系の動作及びクロノグラフ針の電気的な位置情報の保持が行われる。但し、場合によっては、クロノグラフ針の電気的な位置情報は保持していなくてもよい。
【００１３】
クロノグラフ時計１では、また、リセットボタン１９をＢ１方向に押すことにより、クロノグラフ時計１によるクロノグラフ動作のリセットすなわち初期状態への復帰（帰零）が指示される。より詳しくは、クロノグラフ動作のリセットとは、クロノグラフ針１４、１５の初期位置（正時位置）への強制的な復帰（帰零）、並びにクロノグラフ針１４、１５の運針の規正及びクロノグラフ針１４、１５の電気的な位置情報のリセットを指す。尚、スタート／ストップボタン１８及びリセットボタン１９は操作手段を構成している。
【００１４】
まず、クロノグラフ時計１のスタート、運針及び帰零に係る機械的な構造５及び動作について、主として、図２の（ａ）及び（ｂ）に基づいて説明する。なお、クロノグラフ時計１のスタート、運針及び帰零にかかわる機械的な構造５は、図１のブロック図の左側部分にも、簡単に示されている。
クロノグラフ時計１は、通常運針用（時刻針運針用）モータ（図示せず）とは別にクロノグラフ針運針用モータ３５を備え、該クロノグラフ針運針用モータ３５は、回転駆動された際、クロノグラフ針運針用輪列３６を介して、クロノグラフ針１４、１５を運針させる。
【００１５】
前記通常運針用モータやクロノグラフ針運針用モータ３５は、時計用に使用されている周知構成のステッピングモータである。前記ステッピングモータは、ロータ収容孔及びロータの停止位置を決める位置決め部を有するステータと、前記ロータ収容孔内に配設されたロータと、駆動コイルとを有し、前記駆動コイルに交互に極性の異なる交番信号（駆動パルス）を供給して前記ステータに磁束を発生させることによって前記ロータを回転させると共に、前記位置決め部に対応する位置に前記ロータを停止するように構成されている。極性の異なる駆動パルスによって交互に駆動する毎に所定角度（例えば１８０度）ずつ前記ロータが連続的に回転し、複数の同相の駆動パルスによって続けて駆動しても最初の駆動パルスによって回転した場合には２番目以降の同相の駆動パルスでは回転しないような構成となっている。
【００１６】
クロノグラフ時計１は、クロノグラフ秒針１４のあるクロノグラフ秒真２１に取付けられたクロノグラフ秒カム２２及びクロノグラフ分針１５のあるクロノグラフ分真２３に取付けられたクロノグラフ分カム２４を備える。
クロノグラフ時計１は、また、復針伝達第一レバー（以下では、「復針伝達レバーＢ」ともいう）２５、復針伝達第二レバー（以下では、「復針伝達レバーＡ」ともいう）２６及び復針レバー２７を備えると共に、停止レバー２８を備える。
【００１７】
クロノグラフ秒カム２２、クロノグラフ分カム２４及び復針レバー２７は規正機構を構成し、復針伝達第二レバー２６及び復針レバー２７は解除手段を構成している。また、クロノグラフ秒カム２２、クロノグラフ分カム２４、復針レバー２７、復針伝達第一レバー２５、復針伝達第二レバー２６は機械的リセット手段を構成している。また、復針伝達第一レバー２５、復針伝達第二レバー２６及び復針レバー２７はレバー手段をも構成している。
【００１８】
復針伝達第一レバー２５は、基準位置Ｊ１（図２の（ｂ）の実線）と帰零位置Ｊ２（図２の（ａ）の実線で（ｂ）の点線）との間で回動可能であり、位置決めピン２５ａが係合する溝を備えたばね状位置決め部材２９と係合して、基準位置Ｊ１又は帰零動作位置Ｊ２に位置決めされる。復針伝達第二レバー２６は、長穴２６ａで復針伝達第一レバー２５のピン２５ｂに係合している。復針伝達第一レバー２５が基準位置Ｊ１から帰零位置Ｊ２に移動され位置設定されると、復針伝達第二レバー２６が基準位置Ｋ１（図２の（ｂ）の実線）から帰零位置Ｋ２（図２の（ａ）の実線で（ｂ）の点線）に移動される。
【００１９】
一方、復針伝達第二レバー２６が帰零位置Ｋ２から基準位置Ｋ１に移動され位置設定されると、復針伝達第一レバー２５が帰零位置Ｊ２から基準位置Ｊ１に移動され位置決めされる。
復針レバー２７は、長穴２７ａで復針伝達第二レバー２６のピン２６ｂに係合し、復針伝達第二レバー２６の基準位置Ｋ１又は帰零位置Ｋ２への位置設定に応じて、基準位置Ｍ１（図２の（ｂ）の実線）又は帰零位置Ｍ２（図２の（ａ）の実線で（ｂ）の点線）に位置決めされる。
復針レバー２７が帰零位置Ｍ２に設定されると、復針レバー２７は、秒ハンマー部２７ｂでクロノグラフ秒カム２２を叩いてクロノグラフ秒針１４を初期位置に帰零させると共に、分ハンマー部２７ｃでクロノグラフ分カム２４を叩いてクロノグラフ分針１５を初期位置に帰零させる。
【００２０】
停止レバー２８は、ばね部２８ａ、係合腕部２８ｂ及び係止腕部２８ｃを備え、帰零時の訂正制御位置ないし規正位置Ｅ２（図２の（ａ）の実線で（ｂ）の点線）と訂正制御解除位置ないし規正解除位置Ｅ１（図２の（ｂ）の実線）との間でピン２８ｄのまわりで回動可能である。停止レバー２８の係止腕部２８ｃは、該停止レバー２８が規正位置Ｅ２にある状態ＳＥ２ではクロノグラフ運針用モータ３５のロータ歯車３５ａにつながるクロノグラフ運針用輪列３６のいずれかの車３６ａに対して係合して輪列３６の回転を規正し、停止レバー２８が規正解除位置Ｅ１にある状態ＳＥ１では、輪列３６の車３６ａから離されて、モータ３５のロータ歯車３５ａ及び輪列３６の回転を許容する。
【００２１】
ばね部２８ａにおいて規正位置Ｅ２に向かう方向の偏倚力を受けている停止レバー２８は、復針伝達第一レバー２５が帰零位置Ｊ２から基準位置Ｊ１に回動変位される際に、係合腕部２８ｂにおいて復針伝達第一レバー２５の腕部２５ｄと係合して帰零時の規正位置Ｅ２から規正解除位置Ｅ１に回動変位される。一方、復針第一レバー２５が基準位置Ｊ１から帰零位置Ｊ２に移動されると、該復針第一レバー２５の腕部２５ｄと係合腕部２８ｂとの係合が解除されるので停止レバー２８はばね部２８ａのばね力により規正解除位置Ｅ１から規正位置Ｅ２に戻される。
【００２２】
クロノグラフ時計１が、図２の（ａ）に示した帰零（リセット）状態Ｓ２にある際に、スタート／ストップボタン１８がＡ１方向に押圧操作されると、復針伝達第二レバー２６が突起部２６ｃでＡ１方向に押されて位置Ｋ２から位置Ｋ１に変位されると共に、復針伝達第一レバー２５が位置Ｊ２から位置Ｊ１に変位され、復針レバー２７が位置Ｍ２から位置Ｍ１に変位される。これにより、ハンマー部２７ｂ、２７ｃによるハートカム２２、２４及びクロノグラフ針１４、１５の回転規正（帰零制御）が解除される。また、復針伝達第一レバー２５の位置Ｊ２から位置Ｊ１への回動に応じて、該復針伝達第一レバー２５の腕部２５ｄに腕部２８ｂで係合した停止レバー２８が規正位置Ｅ２から規正解除位置Ｅ１に回動され、停止レバー２８の係止腕部２８ｃがクロノグラフ輪列３６から離脱して輪列３６の回転規正（停止制御）を解除する。これにより、機械的制御機構５が状態Ｓ１に戻され、クロノグラフ針１４、１５が回転可能になる。
【００２３】
一方、クロノグラフ時計１が、図２の（ｂ）に示したスタート状態ないし運針状態Ｓ１にある際に、リセットボタン１９がＢ１方向に押圧操作されると、復針伝達第一レバー２５が突起部２５ｃでＢ１方向に押されて復針伝達第一レバー２５が位置Ｊ１から位置Ｊ２に変位される。復針伝達第一レバー２５が位置Ｊ１から位置Ｊ２に変位されると、一方では、該レバー２５に係合した復針伝達第二レバー２６が位置Ｋ１から位置Ｋ２に移動され、該レバー２６に係合した復針レバー２７が位置Ｍ１から位置Ｍ２に移動して、秒ハンマー２７ｂ及び分ハンマー２７ｃが秒ハートカム２２及び分ハートカム２４を叩いてクロノグラフ秒針１４及びクロノグラフ分針１５を帰零させ、他方では、停止レバー２８に対する腕部２５ｄの係止が解除され停止レバー２８が位置Ｅ１から位置Ｅ２に回動されて、腕部２８ｃでクロノグラフ輪列３６に係合して、輪列３６を規正する。
【００２４】
クロノグラフ時計１について、図２の（ａ）及び（ｂ）に示した機械的構造５に関連する範囲で電気的な側面について言えば、次のとおりである。
クロノグラフ時計１が、図２の（ａ）に示したリセット状態Ｓ２にある際に、スタート／ストップボタン１８がＡ１方向に押圧されると、該スタート／ストップボタン１８はその奥端の近傍においてＡ２方向の偏倚力を及ぼすスタート／ストップスイッチバネ３３を押して、接点部３４を閉じさせ、該接点部３４を介して、スタート信号Ｐａ（図１）を動作モード設定部７０に出力する。
【００２５】
この場合、クロノグラフ時計１内部の動作モードをクロノ計測（ＲＵＮ）モードとする。ＲＵＮモードである場合、基本駆動制御部５１は、クロノ計測タイミング信号（本実施の形態では、５Ｈｚ）をクロノグラフ秒カウンタ５７に出力する。クロノグラフ秒カウンタ５７は、１／５秒（５Ｈｚ）を５回数えると１秒する変換を行い、１秒（クロノ秒）毎の累積を計数する。クロノ秒が６０秒となった時点で、クロノグラフ分カウンタ５８に桁上げ信号を出力して、１分（クロノ分）毎の累積を計数する。最大計測時間検出部６１では、クロノグラフ分カウンタ５８があらかじめ設定された最大計測時間に達したか否かを検出する。クロノグラフ秒、分カウンタ５７、５８で計測すると同時に、駆動パルス発生回路５２では、１／５秒（５Ｈｚ）毎に駆動パルス信号Ｇを出力して、モータ駆動回路５３を介して駆動パルスＵによってモータ３５を回転させる。
【００２６】
なお、クロノグラフ時計１が、図２の（ｂ）に示したスタート状態Ｓ１にある際に、スタート／ストップボタン１８がＡ１方向に押圧されると、該スタート／ストップボタン１８はスタート／ストップスイッチバネ３３を押して、接点部３４を閉じさせ、該接点部３４を介して、ストップ（停止）信号Ｐｂ（図１）を動作モード設定部７０に出力する。この場合、内部の動作モードを第１クロノ計測停止モード（ＳＴＯＰモード）とする。ＲＵＮモードとＳＴＯＰモードは、スタート／ストップボタン１８がＡ１方向に押圧される度に交互にサイクリックに切り換えられる。
【００２７】
一方、クロノグラフ時計１が、図２の（ｂ）に示したスタート状態（又はストップ状態）Ｓ１にある際に、リセットボタン１９がＢ１方向に押圧されると、該リセットボタン１９はその奥端の近傍においてＢ２方向の偏倚力を及ぼすリセットスイッチバネ３１を押して、接点部３２を閉じさせ、該接点部３２を介して、リセット信号Ｑａ（図１）を動作モード設定部７０に出力する。この場合、内部の動作モードをリセット（ＲＥＳＥＴ）モードとする。ＲＥＳＥＴモードは、ＲＵＮモード及びＳＴＯＰモードのどちらからも遷移可能である。
【００２８】
電圧検出部７２は、２次電池７３を充電する発電手段としての太陽電池（ソーラ発電装置）７４の発電量（太陽電池７４が発生する電流）や２次電池７３の電圧を検出しており、２次電池７３の電圧が所定電圧以上の場合、過充電状態と判断し、太陽電池７４を短絡するなどして２次電池７３の電圧が、それ以上に上がらないようにする。また、電圧検出部７２は、２次電池７３の電圧が前記所定電圧未満となった場合は、スリープ信号をスリープ制御部７１に出力する。尚、電圧検出部７２は、太陽電池７４の発電量の検出は、太陽電池７４が発生する電流に対応する電圧を検出することによって行う。
【００２９】
スリープ制御部７１は、スリープ信号を受信して、まず、動作モード設定部７０の出力をスリープ（ＳＴＯＰ２）モードとする。この場合、クロノ計測中であったなら、駆動信号Ｕも停止する。次に、発振回路４１を停止させ、分周回路４２以降の電子回路の動作をすべて停止させる。この状態では、所定の電圧は与えられているが、発振回路４１からのクロック信号が無いため駆動制御用集積回路５０は動作できない状態である。
次に、太陽電池７４が受光して発電すると、電圧検出部７２で発電状態を検出し、２次電池７３の電圧が所定電圧以上又は太陽電池７４の発電量が所定量以上であることを検出すると、出力していたスリープ信号の出力を停止する。スリープ信号の出力が停止されたので、発振回路４１が動作しクロックを供給するために駆動制御用集積回路５０が動作し始める。
【００３０】
図２の（ａ）、（ｂ）どちらの状態であってもスタート／ストップボタン１８がＡ１方向に押圧されると、スタート／ストップボタン１８はその奥端の近傍においてＡ２方向の偏倚力を及ぼすスタート／ストップスイッチバネ３３を押して、接点部３４を閉じさせ、接点部３４を介して、スタート信号Ｐａ又はストップ信号Ｐｂを動作モード設定部７０へ出力する。しかし、動作モード設定部７０では、現在のモードがＳＴＯＰ２であるため、このスタート信号Ｐａ又はストップ信号Ｐｂを受け付けることなく、現在のＳＴＯＰ２モードを維持する。このため、駆動パルス発生回路５２、およびモータ駆動回路５３からの出力がないためクロノモータ３５は停止したままとなる。
【００３１】
次に、リセットボタン１９をＢ１方向に押圧すると、リセットボタン１９はその奥端の近傍においてＢ２方向の偏倚力を及ぼすリセットスイッチバネ３１を押して、接点部３２を閉じさせ、接点部３２を介して、リセット信号を動作モード設定部７０へ出力する。この場合、動作モード設定部７０は、現在の内部動作が何であっても動作モードをＲＥＳＥＴモードとする。この時点で、機械的機構は図２（ａ）に示すリセット状態Ｓ２となり、回路もＲＥＳＥＴ状態となり、機構および、回路状態が初期状態となり、その後スタート／ストップボタン１８を操作することによってクロノ計測を開始できる。
【００３２】
以上のような動作のうち、以下では、図２（ａ）の帰零状態Ｓ２において、スタート／ストップボタン１８がＡ１方向に押圧された際のスタート動作の開始及び進行を中心に、より詳しく説明する。
スタート／ストップボタン１８のＡ１方向押圧に伴い、一方では、スイッチ接点３４を介して電気的な駆動開始信号Ｐａが出されてこれによりモータ３５の回転駆動が行われ、他方では、復針伝達第二レバー２６の回動に伴う復針レバー２７の回動により機械的な帰零制御状態が解除されると共に、該復針伝達第二レバー２６及び復針伝達第一レバー２５の回動に伴う停止レバー２８の回動により輪列３６の係止（停止制御状態）が解除されて、運針が機械的に許容される（機械的な規正が解除される）。
【００３３】
ここで、クロノグラフ時計１が適正に動作し、計時が正確に行われるためには、機械的な規正解除が完了した後でモータ３５の回転駆動が行われる必要がある。このクロノグラフ時計１では、構造の複雑化及びこれに要するコストの増加を避けつつ、機械的な規正解除が完了した後で電気的な駆動が行われることを確実に行わせるようにしている。以下では、この点を中心に詳しく説明する。
【００３４】
次に、クロノグラフ時計１の電気的駆動機構６の概要を、図２の機械的構造５を参照しつつ、主として図１のブロック図に基づいて説明する。
クロノグラフ時計１のクロノグラフ運針用モータ３５の回転は、発振回路４１及び分周回路４２を介して与えられるクロックパルスに基づいて駆動制御されるクロノグラフ針運針用モータ３５の駆動制御用集積回路５０によって制御される。
２次電池７３はクロノグラフ時計１の電源である。２次電池７３は、太陽電池７４等の発電装置によって充電するように構成することができる。電圧検出部７２は、２次電池７３の電圧を検出して、２次電池７３の電圧を検出し、２次電池７３の電圧が所定電圧以下の場合にはスリープ信号をスリープ制御部７１に出力する。
【００３５】
スリープ制御部７１は、２次電池７３の電圧が所定電圧以下であることを表す前記スリープ信号を受信した場合には発振回路４１を制御して発振回路４１の発振動作を停止すると共に、動作モード設定部７０にスリープ許可信号を出力して動作モード設定部７０がクロノグラフ時計１をスリープモードに遷移させるように制御する。スリープ制御部７１は、スリープモードにあるときに、２次電池７３の電圧が前記所定電圧以下でなくなったことを表すスリープ解除信号を受信した場合には発振回路４１を制御して発振回路４１に発振動作を開始させると共に、動作モード設定部７０にスリープモード解除信号を出力して動作モード設定部７０がクロノグラフ時計１をスリープモードから通常動作モード（計時動作を行うモード）に遷移させるように制御する。
【００３６】
モータ駆動制御用集積回路５０は、基本駆動制御部５１と、駆動パルス発生回路５２と、モータ駆動回路５３と、帰零制御部５４と、回転検出回路５５とを有する。ここで、クロノグラフ針運針用モータ３５の駆動手段はモータ駆動回路５３から成っている。基本駆動制御部５１、駆動パルス発生回路５２、モータ駆動回路５３、回転検出回路５５はクロノグラフ針運針用モータ３５の制御手段を構成している。帰零制御部５４は電気的にリセットする電気的リセット手段を構成しており、前述した機械的リセット手段とともにリセット手段を構成している。電圧検出部７２、スリープ制御部７１、動作モード設定部７０はモード切替手段を構成している。
【００３７】
尚、モータ駆動制御用集積回路５０は、更に、クロノグラフ秒をカウントし該クロノグラフ秒情報を保持するクロノグラフ秒カウンタ５７、クロノグラフ分をカウントし該クロノグラフ分情報を保持するクロノグラフ分カウンタ５８、クロノグラフ分カウンタ５８が所定の最大時間を計測したことを検出して動作モード設定部７０に最大時間計測信号を出力する最大計測時間検出部６１、及び動作モードを設定する動作モード設定部７０を有する。クロノグラフ時をカウントし該クロノグラフ時情報を保持するクロノグラフ時カウンタが更に設けられていてもよい。クロノグラフ秒カウンタ５７及びクロノグラフ分カウンタ５８はクロノグラフカウンタ手段を構成している。
【００３８】
動作モード設定部７０は、クロノグラフ時計１が帰零（リセット）状態Ｓ２にある際におけるスタート／ストップボタン１８の押下げに応じて接点部３４を介して与えられるスタート信号ないし作動信号Ｐａを受信し、基本駆動制御部５１に出力する。
動作モード設定部７０は、また、クロノグラフ時計１がスタート状態Ｓ１にある際におけるスタート／ストップボタン１８の押下げに応じて接点部３４を介して与えられるストップ（停止）信号Ｐｂを受信し、基本駆動制御部５１に出力する。
【００３９】
動作モード設定部７０は、また、リセットボタン１９の押圧によりスイッチバネ３１が押下げられて接点部３２が閉じた場合、リセット信号Ｑａを受信し、帰零制御部５４に出力する。
動作モード設定部７０は、また、最大計測時間検出部６１からの前記最大時間計測信号に応答して、ストップ（停止）信号Ｐｂを帰零制御部５４に出力する。
基本駆動制御部５１は、クロノグラフ時計１が帰零（リセット）状態Ｓ２にある際におけるスタート／ストップボタン１８の押下げに応じて接点部３４を介して与えられるスタート信号ないし作動信号Ｐａを動作モード設定部７０から受信する。
【００４０】
基本駆動制御部５１は、スタート信号ないし作動信号Ｐａを受取ると、チャタリング防止用の短い期間をおいて、駆動制御信号Ｐｄを発する。以下では、特に断わらない限り、スタート信号ないし作動信号Ｐａの受信時点と駆動制御信号Ｐｄの送信時点とは、実質的に同一であるとする。駆動制御信号Ｐｄは、クロノグラフ動作が行われている期間は高レベルに保たれる信号である。
基本駆動制御部５１は、また、クロノグラフ時計１がスタート状態Ｓ１にある際におけるスタート／ストップボタン１８の押下げに応じて接点部３４を介して与えられるストップ（停止）信号Ｐｂを動作モード設定部７０から受取る（又は接点部３４からのスタート信号ないし作動信号Ｐａの送出が停止される）と、駆動制御信号Ｐｄの送信を停止する。
【００４１】
基本駆動制御部５１からの駆動制御信号Ｐｄはクロノグラフ秒カウンタ５７にも与えられ、クロノグラフ秒カウンタ５７は、駆動制御信号Ｐｄが高レベルに保たれている間、分周回路４２から与えられるクロックパルスを受取ってクロノグラフ秒をカウントすると共に、該駆動制御信号Ｐｄに基づいてクロノグラフとしての計時を開始した時点を始点として該時点から周期Ｔ毎にクロノグラフタイミングパルスＰｈを発する。このパルスＰｈの周期（クロノグラフ針駆動周期）Ｔは、クロノグラフ時計１の計時精度に対応する。
【００４２】
駆動パルス発生回路５２は、駆動制御信号Ｐｄを受けると、通常のクロノグラフ針駆動用の主駆動パルスＧをモータ駆動回路５３に与える。モータ駆動回路５３は、該主駆動パルスＧに対応するモータ駆動パルスＵをクロノグラフ針運針用モータ３５に与えて、該モータ３５を回転駆動する。以後、モータ３５は極性の異なる通常の主駆動パルスＵ（Ｐ１−１、Ｐ１−２）によって交互に駆動されて所定角度ずつ回転することになる。
【００４３】
一方、基本駆動制御部５１が停止信号Ｐｂを受けると、該駆動制御部５１は、駆動制御信号Ｐｄの送出を停止して（所望ならば、駆動停止信号Ｐｆを与えてもよい）、駆動パルス発生回路５３からの駆動パルスＧの送出が停止され、モータ駆動回路５３によるモータ駆動パルスＵの送出が停止され、クロノグラフ針運針用モータ３５の回転駆動が停止されて、該モータ３５のロータないし出力軸の回転が停止し、クロノグラフ針運針用輪列３６を介するクロノグラフ針１４、１５の運針が停止される。
【００４４】
リセットボタン１９の押圧によりスイッチバネ３１が押下げられて接点部３２が閉じた場合、リセット信号Ｑａが動作モード設定部７０を介して帰零制御部５４に与えられる。帰零制御部５４は、接点部３２からのリセット信号Ｑａを受取ると、駆動パルス発生回路５２に駆動停止信号Ｐｆを与える。その結果、駆動パルス発生回路５２は、駆動パルスＧの発生を停止して、モータ駆動回路５３によるモータ駆動パルスＵの送出を停止させる。従って、クロノグラフ針運針用モータ３５の回転駆動が停止され、クロノグラフ針１４、１５の運針が停止される。
【００４５】
尚、帰零制御部５４は、リセット信号Ｑａの受信に応じて、クロノグラフ秒カウンタ５７及びクロノグラフ分カウンタ５８の内容をゼロにリセットする。帰零制御部５４はリセットボタン１９のリセット操作に基づくリセット信号Ｑａに基づき、クロノグラフをリセット制御（運針停止とカウンタリセット）する。
また、リセットボタン操作時にモータ３５が既に駆動中の時は回転検出回路５５の結果に基づき、基本駆動制御部５１は、回転検出回路５５が非回転を検出した場合は機械的規正による非回転と判断して、モータ駆動回路５３が次回駆動する予定の駆動パルスの極性は反転しない。これにより、帰零時の規正による非回転を検出した場合は、クロノ計測動作の再スタート時に前回と同相の駆動パルスＵによって駆動を開始することになる。
図４は、本発明の実施の形態に係るクロノグラフ時計のフローチャートである。
【００４６】
以下、図１〜図４を参照して、本実施の形態に係るクロノグラフ時計１の動作を詳細に説明する。
図４において、電圧検出部７２は所定時間毎の過放電検出タイミングが到来したと判定すると（ステップＳ４００）、２次電池７３の電圧が所定電圧（例えば、少なくとも計時動作が可能な電圧である計時動作可能電圧）以下か否かを判定し（ステップＳ４０１）、２次電池７３の電圧が所定値以下に低下したと判定した場合にはスリープ制御部７１にスリープ信号を出力してスリープモードに遷移するよう要求する（ステップＳ４０２）。
【００４７】
スリープ制御部７１は、スリープ信号を受信して、クロノ計測動作中の場合には（ステップＳ４０３）クロノ計測動作を停止するように動作モード設定部７０を制御した後（ステップＳ４０４）、第２クロノ計測停止モード（ＳＴＯＰ２モード）に遷移させ（ステップＳ４０５）、クロノ計測動作中でない場合には直ちにＳＴＯＰ２モードに遷移させる（ステップＳ４０５）。ＳＴＯＰ２モードでは、クロノ計測中の場合には、クロノ計測動作を停止すると共に駆動信号Ｕも停止させてモータ３５の駆動を停止する。
【００４８】
次にスリープ制御部７１は、動作モード設定部７０にスリープ許可信号を出力し（ステップＳ４０６）、発振回路４１の動作を停止させてシステムクロックを停止させる（ステップＳ４０７）。これにより、分周回路４２以降の電子回路の動作をすべて停止させ、スリープモードとなる。この状態では、各電子回路に所定の電源電圧は与えられているため電圧検出回路７２の電圧検出動作等は行われるが、発振回路４１からのクロック信号が無いため駆動制御用集積回路５０は動作できない状態にある。
【００４９】
次に電圧検出部７２は、太陽電池７４が所定量以上の発電を行っていることを検出すると（ステップＳ４０８）、スリープ制御部７１に発振回路４１の動作を開始させてシステムクロックを出力させる（ステップＳ４０９）。これにより、スリープモードが解除される。スリープモードが解除されると、現在時刻を計時する時刻計時部（図示せず）は計時動作を開始し、分周回路４２から与えられるクロックパルスを計数することによって現在時刻を計時する。前記時刻計時部は、計時した時刻を時刻針（時針１１、分針１２及び秒針１３）によって表示する。
ここで、電圧検出部７２は太陽電池７４が所定量以上の発電を行っていることを検出する代わりに、電圧検出部７２が、２次電池７３の電圧が所定電圧を超えていることを検出することによって、スリープ制御部７１に発振回路４１の動作を開始させてシステムクロックを出力させる（スリープモードを解除させる）ように構成してもよい。
【００５０】
次に動作モード設定部７０はスタート／ストップボタン１８が操作されたか否かを判定する（ステップＳ４１０）。動作モード設定部７０は、処理ステップＳ４１０においてスタート／ストップボタン１８が操作されたと判定すると、動作モードがＳＴＯＰではなくＳＴＯＰ２の場合には（ステップＳ４１１）、動作モードをＳＴＯＰ２のままクロノ計測を開始することなく、処理ステップ４００に戻る。動作モードがＳＴＯＰ、あるいはＲＥＳＥＴの場合には、（ステップＳ４１３、Ｓ４１２）動作モードをＲＵＮモードに遷移させて（ステップＳ４１４）、クロノ計測を開始する（ステップＳ４１５）。
動作モード設定部７０は、処理ステップＳ４１３、Ｓ４１２において動作モードがＳＴＯＰではなくＲＥＳＥＴでも無いと判定した場合には、動作モードをＳＴＯＰに遷移させて（ステップＳ４１８）、クロノ計測を停止する（ステップＳ４１９）。
【００５１】
動作モード設定部７０は、処理ステップＳ４１１において動作モードがＳＴＯＰ２であると判定した場合、内部の動作モードをＳＴＯＰ２のままとし、クロノ計測動作は行わずに処理ステップＳ４００に戻る。これにより、スリープモードが解除された場合でも、単にスタート／ストップボタン１８を操作してもクロノ計測を行うことが禁止される。
【００５２】
動作モード設定部７０は、処理ステップＳ４１０においてスタート／ストップボタン１８が操作されていないと判定した場合、リセットボタン１９が操作されたと判定したときには（ステップＳ４１６）、動作モードをＲＥＳＥＴに遷移させた後（ステップＳ４１７）、処理ステップＳ４１９に移行する。これにより、スリープモードが解除された場合、リセットボタン１８を操作した場合には、その後スタート／ストップボタン１９を操作することによってクロノ計測を開始することが可能になる。したがって、スリープモード解除後にクロノ計測がスタートする場合、クロノグラフ針１４、１５が正時位置から駆動されることになり、不適正な位置からクロノグラフ針１４、１５が運針開始することを防止できる。
【００５３】
動作モード設定部７０は、処理ステップＳ４１６においてリセットボタン１９が操作されていないと判定したときには直ちに処理ステップＳ４１９に移行する。
電圧検出部７２は、処理ステップＳ４０８において太陽電池７４が所定量以上の発電を行っていることを検出しない場合には処理ステップＳ４０７に戻る。
また、電圧検出部７２が処理ステップＳ４００において過放電検出タイミングが到来したと判定しなかった場合、及び、電圧検出部７２が処理ステップＳ４０１において２次電池７３の電圧が所定電圧以下に低下していないと判定した場合には、処理ステップＳ４０９に移行する。
【００５４】
以上述べたように、本実施の形態に係るクロノグラフ時計は、動作モード設定部７０は、太陽電池７４の発電量が所定量を超えることによってスリープモードが解除された後、単にスタート／ストップボタン１８を操作した場合にはクロノ計測動作を禁止し、スリープモードが解除された後にリセットボタン１９を操作した場合には、その後スタート／ストップボタン１８をスタート操作することによってクロノ計測動作を開始するように制御する。
したがって、各指針の駆動はモータによって電気的に行い、クロノグラフ針の帰零を機械的機構によって行うクロノグラフ時計において、スリープモードが解除された場合に、帰零した後にクロノ計測動作が行われることになるため、クロノグラフ針が不適正な位置で駆動開始されないようにすることが可能になる。
【００５５】
尚、本実施の形態では、スリープ制御部７１が電圧検出部７２からスリープ要求を受けてクロノ計測を停止する状態（ＳＴＯＰ２）（図４の処理ステップＳ４０５）をスリープモードとしたが、システムクロック停止（発振回路４１の発振停止）の状態（処理ステップＳ４０７）も含めてスリープモードとしてもよい。
また、リセットボタン１９を操作した際に、クロノ計測をＲＥＳＥＴモードとするだけではなく、クロノグラフ時計のシステム全体のカウンタ（クロノグラフ秒カウンタ５７、クロノグラフ分カウンタ５８及び時刻計時用の時刻カウンタ（図示せず））をリセットするように構成してもよい。
また、スリープモード解除直後の状態は、不安定であり、動作を保証できないため、リセットボタン１９でシステムリセットを行うように構成してもよい。
【００５６】
図５は、本発明の他の実施の形態に係るクロノグラフ時計のフローチャートで、図４と同一処理を行う部分には同一符号を付している。本他の実施の形態に係るクロノグラフ時計のブロック図、クロノグラフ機構及び外観は図１〜図３と同一である。
前記実施の形態では、スリープモードが解除されリセット操作が行われた後にスタート操作が行われた場合にクロノ計測動作を行えるように構成したが、本他の実施の形態では、スリープモードが解除されリセット操作が行われた後にスタート操作が行われた場合でも、２次電池が所定の電圧以上でない場合にはクロノ計測を行えないように構成している。
【００５７】
その理由は、一般にクロノグラフ針駆動用モータ３５の駆動に要する電力は、時刻針駆動用モータ（図示せず）の駆動に要する電力に比べて大きい。そのため、スリープモードが解除されて時刻計時動作が可能になった場合でも、クロノ計測動作をスタートさせると、２次電池の電圧が急激に低下し、再びスリープモードに遷移してしまうという問題があり、本他の実施の形態は係る問題が発生しないようにしているからである。
【００５８】
以下、図１〜図３、図５を用いて、前記実施の形態と共通する部分も含めて主に異なる部分について本他の実施の形態の動作を説明する。
電圧検出部７２は、太陽電池７４が所定量以上の発電を行っていることを検出すると（ステップＳ４０８）、スリープ制御部７１に発振回路４１の動作を開始させてシステムクロックを出力させる（ステップＳ４０９）。これにより、スリープモードが解除される。スリープモードが解除されると、現在時刻を計時する時刻計時部（図示せず）は計時動作を開始し、分周回路４２から与えられるクロックパルスを計数することによって現在時刻を計時する（ステップＳ４２０）。前記時刻計時部は、計時した時刻を時刻針（図３の時針１１、分針１２及び秒針１３）によって表示する。
【００５９】
ここで、電圧検出部７２は太陽電池７４が所定量以上の発電を行っていることを検出する代わりに、電圧検出部７２が、２次電池７３の電圧が所定電圧（例えば、少なくとも計時動作が可能な電圧である計時動作可能電圧）を超えていることを検出することにより、スリープモードを解除してスリープ制御部７１に発振回路４１の動作を開始させてシステムクロックを出力させるように構成してもよい。
次に動作モード設定部７０はスタート／ストップボタン１８が操作されたか否かを判定する（ステップＳ４１０）。動作モード設定部７０が処理ステップＳ４１０においてスタート／ストップボタン１８が操作されたと判定した場合、電圧検出部７２は２次電池７３の電圧を測定する（ステップＳ４２１）。
【００６０】
電圧検出部７２は、２次電池７３の電圧が前記所定電圧より一定電圧高い電圧（クロノ計測動作が可能な電圧であるクロノ計測可能電圧）以下の場合にはクロノ計測動作不能と判定する（ステップＳ４２２）。電圧検出部７２は、処理ステップＳ４２２において前記クロノ計測可能電圧以下と判定してクロノ計測動作不能と判定した場合、前記スリープモードを解除後にリセットボタン１９によるリセット操作が行われその後にスタート／ストップボタン１８によるスタート操作が行われた場合でも、クロノ計測動作をＲＵＮモードに遷移させない（即ち、クロノ計測動作を開始するように制御手段を制御しない）。この場合、電圧検出部７２は、前記時刻計時部に、２次電池７３がクロノ計測を行える電圧ではないことを表す所定の報知動作（本他の実施の形態では２秒運針）を行わせる（ステップＳ４２３）。
【００６１】
通常、秒針は１秒毎に１ステップ（１秒分）運針するように運針駆動するが、２秒運針では２秒毎に纏めて２ステップ（２秒分）運針するように運針駆動する。使用者は秒針の運針状態によって、２次電池７３が、クロノ計測動作が可能な電圧ではないことを知ることができる。
処理ステップＳ４２２において電圧検出部７２は、２次電池７３の電圧が前記クロノ計測可能電圧を超えている場合にはクロノ計測動作可能と判定して、前記実施の形態と同様に処理ステップＳ４１１以降の処理を行う。
【００６２】
以上述べたように、本他の実施の形態に係るクロノグラフ時計は、前記実施の形態と同様の構成を有するばかりでなく、特に、モード切替手段は、２次電池７３の電圧が前記所定電圧より一定電圧高いクロノ計測可能電圧以下の場合、スリープモードを解除後にリセットボタン１９によるリセット操作が行われその後にスタート／ストップボタン１８によるスタート操作が行われた場合でも、クロノ計測動作を開始するようには前記制御手段を制御しないようにしている。
【００６３】
したがって、前記実施の形態と同様の効果を奏するばかりか、スリープモードが解除されて時刻計時動作が可能になった後にクロノ計測をスタートさせた場合に、２次電池の電圧が急激に低下して再びスリープモードに遷移してしまうという事態の発生を防止することが可能になる。
また、２次電池７３がクロノ計測を行える電圧ではないことを表す所定の報知動作を行うようにしているので、２次電池７３がクロノ計測可能電圧以下に低下したことを容易に知ることができる。
【産業上の利用可能性】
【００６４】
時刻針及びクロノグラフ針の駆動はモータによって電気的に行うと共に、リセット状態ではクロノグラフ針が動かないように機械的機構によって規正し、前記クロノグラフ針の駆動は前記機械的機構による規正を解除した後に行うようにした各種のクロノグラフ時計に適用可能である。
【符号の説明】
【００６５】
１    クロノグラフ時計
５    機械的帰零制御機構
６    電気的駆動機構
１１  時針
１２  分針
１３  秒針
１４  クロノグラフ秒針
１５  クロノグラフ分針
１６  巻真
１８  スタート／ストップボタン
１９  リセットボタン
２１  クロノグラフ秒真
２２  クロノグラフ秒カム
２３  クロノグラフ分真
２４  クロノグラフ分カム
２５  復針伝達第一レバー（復針伝達レバーＢ）
２６  復針伝達第二レバー（復針伝達レバーＡ）
２７  復針レバー
２８  停止レバー
３１  リセットスイッチバネ
３２  接点部
３３  スタートストップスイッチバネ
３４  接点部
３５  クロノグラフ針運針用モータ
３６  クロノグラフ針運針用輪列
４１  発振回路
４２  分周回路
５０  モータ駆動制御用集積回路
５１  基本駆動制御部
５２  駆動パルス発生回路
５３  モータ駆動回路
５４  帰零制御部
５５  回転検出回路
５７  クロノグラフ秒カウンタ
５８  クロノグラフ分カウンタ
７０  動作モード設定部
７１  スリープ制御部
７２  電圧検出部
７３  ２次電池
７４  太陽電池
Ａ１、Ａ２  方向
Ｂ１、Ｂ２  方向
Ｃ１、Ｃ２、Ｃ３  中心軸線
Ｄ１  方向
Ｇ    駆動パルス
Ｊ１、Ｋ１、Ｍ１  基準位置
Ｊ２、Ｋ２、Ｍ２  帰零位置
Ｐａ  スタート信号（作動信号）
Ｐｂ  駆動停止信号
Ｐｄ  駆動制御信号
Ｐｆ  駆動停止信号
Ｑａ  リセット信号
Ｓ１  運針状態
Ｓ２  帰零状態
Ｕ    モータ駆動パルス
【図１】
2011247873.tif 000003
【図２】
2011247873.tif 000004
【図３】
2011247873.tif 000005
【図４】
2011247873.tif 000006
【図５】
2011247873.tif 000007